【手続補正書】
【提出日】平成21年4月22日(2009.4.22)
【手続補正１】
【補正対象書類名】特許請求の範囲
【補正対象項目名】全文
【補正方法】変更
【補正の内容】
【特許請求の範囲】
【請求項１】
クライアント装置と通信可能なサーバ装置において、
前記クライアント装置から記憶場所を指定して送信される識別子が付加されたファイルを該記憶場所に記憶する記憶手段と、
前記クライアント装置から第１のファイルが送信された場合、該第１のファイルと同じ第２のファイルが既に前記記憶手段に記憶されているかを、各ファイルに付加された識別子から判断する第１の判断手段と、
前記第１の判断手段で前記第１のファイルと同じ第２のファイルが前記記憶手段に既に存在すると判断された場合、当該既に存在する第２のファイルの記憶場所が前記クライアント装置から指定された記憶場所と異なるかを判断する第２の判断手段と、
前記第２の判断手段で前記第２のファイルの記憶場所と前記クライアント装置から指定された記憶場所とが異なると判断された場合、前記クライアント装置から指定された第１のファイルの記憶場所を示すファイル位置指定機能データを作成し、前記第２のファイルと置き換えるファイル位置指定機能データ作成手段と、
を有することを特徴とするサーバ装置。
【請求項２】
前記記憶手段のファイル記憶場所には、参照可能なユーザの範囲を示す開示範囲を設定可能であり、
前記ファイル位置指定機能データは、ファイルの記憶場所に対して、参照可能なユーザの範囲を示す開示範囲を設定可能であって、
第１のファイルの記憶場所に設定された開示範囲と異なる開示範囲のファイルの記憶場所に前記第１のファイルを移動させる場合、前記ファイル位置指定機能データ作成手段は、移動前の該第１のファイルの記憶場所に移動先の該第１のファイルの記憶場所を示すファイル位置指定機能データを作成するとともに、当該作成されるファイル位置指定機能データの開示範囲を移動先のファイルの記憶場所に設定されている開示範囲に基づいて設定することを特徴とする請求項１に記載のサーバ装置。
【請求項３】
前記記憶手段のファイル記憶場所には、参照可能なユーザの範囲を示す開示範囲を設定可能であり、
前記ファイル位置指定機能データは、ファイルの記憶場所に対して、参照可能なユーザの範囲を示す開示範囲を設定可能であって、
第１のファイルの記憶場所に設定された開示範囲と異なる開示範囲のファイルの記憶場所に前記第１のファイルを移動させる場合、前記ファイル位置指定機能データ作成手段は、前記第１のファイルの移動前の記憶場所の開示範囲と移動先の記憶場所の開示範囲とを比較し、移動先の記憶場所の開示範囲の方が狭い場合には、前記ファイル位置指定機能データの作成は行わないことを特徴とする請求項１に記載のサーバ装置。
【請求項４】
前記ファイル位置指定機能データの記憶場所を示す情報をファイルの属性情報として付加するファイル属性情報付加手段を有することを特徴とする請求項１乃至３のいずれか１項に記載のサーバ装置。
【請求項５】
前記記憶手段に記憶されているファイルが移動された場合、前記ファイル属性情報付加手段により付加された属性情報に基づいて、該ファイル位置指定機能データの示すファイルの実体位置を、前記ファイルの移動先に変更するファイル位置指定機能データ変更手段を有することを特徴とする請求項４に記載のサーバ装置。
【請求項６】
前記記憶手段のファイルの記憶場所には、参照可能なユーザの範囲を示す開示範囲を設定可能であり、
前記ファイル位置指定機能データ変更手段は、移動されたファイルの移動先の記憶場所の開示範囲と該ファイルの属性情報内に格納されるファイル位置指定機能データの格納場所の開示範囲とを比較し、移動先の記憶場所の開示範囲の方が狭い場合には、該ファイル位置指定機能データを削除することを特徴とする請求項５に記載のサーバ装置。
【請求項７】
前記記憶手段は、前記ファイルの属性情報内に含まれるファイルの識別情報に基づいてファイルを管理することを特徴とする請求項５又は６に記載のサーバ装置。
【請求項８】
前記クライアント装置から送信されるファイルを記憶する際に、該ファイルの属性情報内に該ファイルの識別情報が含まれていない場合には、該ファイルの属性情報に識別情報を付加するファイル属性情報付加手段を有することを特徴とする請求項７記載のサーバ装置。
【請求項９】
前記クライアント装置により前記記憶手段に記憶されるファイルが参照された際には、該参照されたファイルの参照回数を該ファイルの属性情報として付加する参照回数記録手段を有することを特徴とする請求項４乃至８のいずれか１項に記載のサーバ装置。
【請求項１０】
前記記憶手段は、前記参照回数が所定の基準を満たしていないファイルを該ファイルの属性情報に格納されている該ファイルの所有者に通知し、該所有者からの指示に応じて、該ファイルを前記記憶手段から削除する削除手段を有することを特徴とする請求項９に記載のサーバ装置。
【請求項１１】
クライアント装置とサーバ装置とが通信可能に接続される情報共有システムにおいて、
前記クライアント装置は、
ファイルの更新を行う際に、該ファイルの記憶場所を示す情報を入力する入力手段と、
前記入力手段により入力される記憶場所を示す情報と前記ファイルの識別子を前記ファイルに付加する付加手段と、
前記ファイルを前記サーバ装置に送信する送信手段を有するものであり、
前記サーバ装置は、
前記クライアント装置から送信される識別子が付加されたファイルを前記付加手段により付加された記憶場所に記憶する記憶手段と、
前記クライアント装置から第１のファイルが送信された場合、該第１のファイルと同じ第２のファイルが既に前記記憶手段に記憶されているかを、各ファイルに付加された識別子から判断する第１の判断手段と、
前記第１の判断手段で前記第１のファイルと同じ第２のファイルが前記記憶手段に既に存在すると判断された場合、当該既に存在する第２のファイルの記憶場所が前記クライアント装置から指定された記憶場所と異なるかを判断する第２の判断手段と、
前記第２の判断手段で前記第２のファイルの記憶場所と前記クライアント装置から指定された記憶場所とが異なると判断された場合、前記クライアント装置から指定された第１のファイルの記憶場所を示すファイル位置指定機能データを作成し、前記第２のファイルと置き換えるファイル位置指定機能データ作成手段とを有する、
ことを特徴とする情報共有システム。
【請求項１２】
クライアント装置と通信可能なサーバ装置における情報共有方法において、
記憶手段が、前記クライアント装置から記憶場所を指定して送信される識別子が付加されたファイルを該記憶場所に記憶する記憶ステップと、
第１の判断手段が、前記クライアント装置から第１のファイルが送信された場合、該第１のファイルと同じ第２のファイルが既に前記記憶手段に記憶されているかを、各ファイルに付加された識別子から判断する第１の判断ステップと、
第２の判断手段が、前記第１の判断ステップで前記第１のファイルと同じ第２のファイルが前記記憶手段に既に存在すると判断された場合、当該既に存在する第２のファイルの記憶場所が前記クライアント装置から指定された記憶場所と異なるかを判断する第２の判断ステップと、
ファイル位置指定機能データ作成手段が、前記第２の判断ステップで前記第２のファイルの記憶場所と前記クライアント装置から指定された記憶場所とが異なると判断された場合、前記クライアント装置から指定された第１のファイルの記憶場所を示すファイル位置指定機能データを作成し、前記第２のファイルと置き換えるファイル位置指定機能データ作成ステップと、
を有することを特徴とする情報共有方法。
【請求項１３】
請求項１乃至１０のいずれか１項に記載されたサーバ装置の手段、又は、請求項１１に記載された情報共有システムの手段としてコンピュータを機能させるためのプログラム。
【請求項１４】
請求項１３に記載されたプログラムを記録したコンピュー読み取り可能な記録媒体。
【手続補正２】
【補正対象書類名】明細書
【補正対象項目名】００１２
【補正方法】変更
【補正の内容】
【００１２】
本発明は、クライアント装置と通信可能なサーバ装置において、前記クライアント装置から記憶場所を指定して送信される識別子が付加されたファイルを該記憶場所に記憶する記憶手段と、前記クライアント装置から第１のファイルが送信された場合、該第１のファイルと同じ第２のファイルが既に前記記憶手段に記憶されているかを、各ファイルに付加された識別子から判断する第１の判断手段と、前記第１の判断手段で前記第１のファイルと同じ第２のファイルが前記記憶手段に既に存在すると判断された場合、当該既に存在する第２のファイルの記憶場所が前記クライアント装置から指定された記憶場所と異なるかを判断する第２の判断手段と、前記第２の判断手段で前記第２のファイルの記憶場所と前記クライアント装置から指定された記憶場所とが異なると判断された場合、前記クライアント装置から指定された第１のファイルの記憶場所を示すファイル位置指定機能データを作成し、前記第２のファイルと置き換えるファイル位置指定機能データ作成手段とを有することを特徴とする。
【手続補正３】
【補正対象書類名】明細書
【補正対象項目名】００１３
【補正方法】変更
【補正の内容】
【００１３】
また、本発明は、クライアント装置とサーバ装置とが通信可能に接続される情報共有システムにおいて、前記クライアント装置は、ファイルの更新を行う際に、該ファイルの記憶場所を示す情報を入力する入力手段と、前記入力手段により入力される記憶場所を示す情報と前記ファイルの識別子を前記ファイルに付加する付加手段と、前記ファイルを前記サーバ装置に送信する送信手段を有するものであり、前記サーバ装置は、前記クライアント装置から記憶場所を指定して送信される識別子が付加されたファイルを該記憶場所に記憶する記憶手段と、前記クライアント装置から第１のファイルが送信された場合、該第１のファイルと同じ第２のファイルが既に前記記憶手段に記憶されているかを、各ファイルに付加された識別子から判断する第１の判断手段と、前記第１の判断手段で前記第１のファイルと同じ第２のファイルが前記記憶手段に既に存在すると判断された場合、当該既に存在する第２のファイルの記憶場所が前記クライアント装置から指定された記憶場所と異なるかを判断する第２の判断手段と、前記第２の判断手段で前記第２のファイルの記憶場所と前記クライアント装置から指定された記憶場所とが異なると判断された場合、前記クライアント装置から指定された第１のファイルの記憶場所を示すファイル位置指定機能データを作成し、前記第２のファイルと置き換えるファイル位置指定機能データ作成手段とを有することを特徴とする。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】